(57)【要約】【課題】  正常データベースの統計情報に含まれる人種、年齢層の範囲外の患者の撮影データにおいて、どのように正常データベースの統計情報と比較するか。【解決手段】  被検眼に測定光を照射して断層像を取得する断層像取得手段と、前記断層像取得手段で取得した断層像を解析する解析手段と、患者情報として生年月日を入力する患者情報入力手段と、複数の健常眼の撮影データから年齢層ごとに作成した統計情報を記憶する統計情報記憶手段と、前記統計情報記憶手段から統計情報を取得する統計情報取得手段と、前記患者情報入力手段から入力された生年月日から計算した年齢が前記統計情報の年齢層の範囲外の場合に、一番近い年齢層の統計情報を選択する比較対象選択手段と、前記解析手段で解析した結果と前記比較対象選択手段で選択された統計情報を比較する比較手段を有する。【選択図】  図７
2015080678.tif 000002
【特許請求の範囲】
【請求項１】
被検眼に測定光を照射して断層像を取得する断層像取得手段と、
前記断層像取得手段で取得した断層像を解析する解析手段と、
患者情報として生年月日を入力する患者情報入力手段と、
複数の健常眼の撮影データから年齢層ごとに作成した統計情報を記憶する統計情報記憶手段と、前記統計情報記憶手段から統計情報を取得する統計情報取得手段と、
前記患者情報入力手段から入力された生年月日から計算した年齢が前記統計情報の年齢層の範囲外の場合に、一番近い年齢層の統計情報を選択する比較対象選択手段と、
前記解析手段で解析した結果と前記比較対象選択手段で選択された統計情報を比較する比較手段とを有する眼科装置。
【請求項２】
被検眼に測定光を照射して断層像を取得する断層像取得手段と、
前記断層像取得手段で取得した断層像を解析する解析手段と、
患者情報として生年月日を入力する患者情報入力手段と、
複数の健常眼の撮影データから年齢層ごとに作成した統計情報を記憶する統計情報記憶手段と、
前記統計情報記憶手段から統計情報を取得する統計情報取得手段と、
前記患者情報入力手段から入力された生年月日から計算した年齢が前記統計情報の年齢層の範囲外の場合に、前記統計情報記憶装置に記憶されている年齢層ごとの統計情報から曲線近似により計算した統計情報を選択する比較対象選択手段と、
前記解析手段で解析した結果と前記比較対象選択手段で選択された統計情報を比較する比較手段とを有する眼科装置。
【請求項３】
前記比較手段で比較した結果を表示する表示手段を有し、前記表示手段において、前記比較対象選択手段で一番近い年齢層の統計情報を選択したことを表示することを特徴とする請求項１に記載の眼科装置。
【請求項４】
前記表示手段において、前記比較対象選択手段で一番近い年齢層の統計情報を選択した場合、患者の年齢と一番近い年齢層の差に応じて表示を変えることを特徴とする請求項３に記載の眼科装置。
【請求項５】
前記比較手段で比較した結果を表示する表示手段を有し、前記表示手段において、前記患者情報入力手段において生年月日が未入力の場合、年齢が不明で比較できないことを表示することを特徴とする請求項１または請求項２に記載の眼科装置。
【請求項６】
前記患者情報入力手段において患者情報として人種を入力可能であり、前記統計情報記憶手段に記憶する統計情報は、さらに人種ごとに作成されており、前記患者情報入力手段から人種が入力されていない場合に用いる人種を設定するデフォルト人種設定手段を有し、前記比較対象選択手段は、人種が入力されていない場合に、デフォルト人種設定手段で設定されている人種によって統計情報を選択することを特徴とする請求項１または請求項２に記載の眼科装置。
【請求項７】
前記比較手段で比較した結果を表示する表示手段を有し、前記表示手段は、デフォルト人種設定手段で設定されている人種によって統計情報を選択したことを表示することを特徴とする請求項６に記載の眼科装置。
【請求項８】
前記患者情報入力手段において患者情報として人種を入力可能であり、前記統計情報記憶手段に記憶する統計情報は、さらに人種ごとに作成されており、前記患者情報から入力された人種ごとに、前記統計情報記憶手段に記憶されているどの人種の統計情報を選択するかの設定手段を有し、前記比較対象選択手段は、前記設定手段で設定されている入力された人種に対応する統計情報を取得することを特徴とする請求項１または請求項２に記載の眼科装置。
【請求項９】
前記患者情報入力手段において患者情報として、患者の人種、父母、祖父母の人種を入力可能であり、前記統計情報記憶手段に記憶する統計情報は、さらに人種ごとに作成されており、前記比較対象選択手段は、患者の人種だけでなく、父母、祖父母の人種によっても統計情報を選択することを特徴とする請求項１または請求項２に記載の眼科装置。
【請求項１０】
前記比較手段は、前記比較対象選択手段により選択された複数の人種の統計情報との比較を行い、前記比較手段で比較した結果を表示する表示手段を有し、前記表示手段は、複数の人種の統計情報との比較結果を切り換えて表示することが可能であり、前記表示手段は、父母、祖父母の人種の統計情報より患者の人種の統計情報との比較結果を優先して表示することを特徴とする請求項９に記載の眼科装置。
【請求項１１】
前記比較手段は、前記比較対象選択手段により選択された複数の人種の統計情報との比較を行い、前記比較手段で比較した結果を表示する表示手段を有し、前記表示手段は、複数の人種の統計情報との比較結果を切り換えて表示することが可能であることを特徴とする請求項８または請求項９に記載の眼科装置。
【請求項１２】
前記表示手段は、正常値の範囲以外の比率が高い人種との比較結果を優先して表示することを特徴とする請求項１１に記載の眼科装置。
【請求項１３】
前記比較手段で比較した結果を表示する表示手段を有し、前記表示手段は、前記比較対象選択手段において人種入力が未入力で統計情報を選択しなかった場合、人種が不明で比較できないことを表示することを特徴とする、請求項６、請求項８または請求項９のいずれか１項に記載の眼科装置。
【発明の詳細な説明】
【技術分野】
【０００１】
本発明は、眼科に関するものである。
【背景技術】
【０００２】
現在、光学機器を用いた眼科用機器として、様々なものが使用されている。例えば、眼を観察する光学機器として、前眼部撮影装置、眼底カメラ、共焦点レーザー走査検眼鏡（Ｓｃａｎｎｉｎｇ  Ｌａｓｅｒ  Ｏｐｈｔｈａｌｍｏｓｃｏｐｅ：ＳＬＯ）等、様々な機器が使用されている。中でも、多波長光波干渉を利用した光コヒーレンストモグラフィ（Ｏｐｔｉｃａｌ  Ｃｏｈｅｒｅｎｃｅ  Ｔｏｍｏｇｒａｐｈｙ：ＯＣＴ）による光干渉断層撮影装置は、試料の断層像を高解像度に得ることができる装置である。以下、これをＯＣＴ装置と記す。ＯＣＴ装置は眼科診断等において、被検眼の眼底における網膜の断層像や、角膜などの前眼部の断層像を取得するために広く利用されている。
【０００３】
ここで、人の眼の網膜は複数の層で構成されていることが知られており、眼科診断では取得した断層画像に基づいて層構造を読影したり、病変部の状態を確認したりする。また、網膜の断層画像において、病変部の状態を確認するためには、断層画像を表示するだけでなく、網膜の層構造を画像解析し、層厚グラフや層厚マップを表示することが有効である。また、視神経乳頭陥凹部（Ｃｕｐ）、視神経乳頭（Ｄｉｓｃ）などを検出し、その大きさや比などの測定結果を表示することも有効である。さらに、算出した層厚、Ｃｕｐ、Ｄｉｓｃの大きさや比などを、健常眼のデータと比較することも病変部の状態確認に有効である（特許文献１、２）。
【０００４】
健常眼における、網膜の各層の層厚、視神経乳頭陥凹部、視神経乳頭などの大きさや比、及び、それらの分布などの統計情報は、健常眼の撮影データから、人種、年齢層別に作成した正常データベースに保存されている（特許文献３）。
【先行技術文献】
【特許文献】
【０００５】
【特許文献１】国際公開第２００６／０２２０４５号
【特許文献２】特開２００９−８９７９２号公報
【特許文献３】特開２０１３−１５３８８４号公報
【発明の概要】
【発明が解決しようとする課題】
【０００６】
患者の撮影データを正常データベースの統計情報と比較する場合、患者の人種、年齢に対応する正常データベースの人種、年齢層の統計情報と比較する。しかし、正常データベースの統計情報に含まれる人種または年齢層の範囲外の患者の撮影データにおいて、どのように正常データベースの統計情報と比較するかに課題がある。
【０００７】
特許文献１、２、３のいずれも、正常データベースの統計情報に含まれる人種または年齢層の範囲外の患者の撮影データにおける比較方法に関しては言及していない。
【０００８】
本発明は、上述の問題点を解消し、正常データベースの統計情報に含まれる人種または年齢層の範囲外の患者の撮影データにおいても、適切な比較を行うことを目的とする。
【課題を解決するための手段】
【０００９】
上記目的を達成するため、本発明に係る眼科装置は、被検眼に測定光を照射して断層像を取得する断層像取得手段と、前記断層像取得手段で取得した断層像を解析する解析手段と、患者情報として生年月日を入力する患者情報入力手段と、複数の健常眼の撮影データから年齢層ごとに作成した統計情報を記憶する統計情報記憶手段と、前記統計情報記憶手段から統計情報を取得する統計情報取得手段と、前記患者情報入力手段から入力された生年月日から計算した年齢が前記統計情報の年齢層の範囲外の場合に、一番近い年齢層の統計情報を選択する比較対象選択手段と、前記解析手段で解析した結果と前記比較対象選択手段で選択された統計情報を比較する比較手段を有することを特徴とする。
【００１０】
また、本発明に係る光干渉断層撮影装置は、被検眼に測定光を照射して断層像を取得する断層像取得手段と、前記断層像取得手段で取得した断層像を解析する解析手段と、患者情報として生年月日を入力する患者情報入力手段と、複数の健常眼の撮影データから年齢層ごとに作成した統計情報を記憶する統計情報記憶手段と、前記統計情報記憶手段から統計情報を取得する統計情報取得手段と、前記患者情報入力手段から入力された生年月日から計算した年齢が前記統計情報の年齢層の範囲外の場合に、前記統計情報記憶装置に記憶されている年齢層ごとの統計情報から曲線近似により計算した統計情報を選択する比較対象選択手段と、前記解析手段で解析した結果と前記比較対象選択手段で選択された統計情報を比較する比較手段を有することを特徴とする。
【発明の効果】
【００１１】
本発明によれば、正常データベースの統計情報に対応する、人種、年齢層の範囲外の患者の撮影データにおいても適切に比較できるため、層構造の読影、病変部の状態確認に有効である。
【図面の簡単な説明】
【００１２】
【図１】本実施例の全体構成図である。
【図２】本実施例の測定光学系の説明図である。
【図３】本実施例の機能ブロック図である。
【図４】患者情報入力画面の例である。
【図５】本実施例のフローチャートである。
【図６】正常データベースの統計情報を人種、年齢層別に持つ例である。
【図７】本実施例における比較対象選択のフローチャートである。
【図８】デフォルト人種設定画面の例である。
【図９】入力人種に対してどの統計情報の人種と比較するかの設定例である。
【図１０】ＳＬＯ画像と正常データベースの統計情報との比較結果表示例である。
【図１１】層厚グラフと正常データベースの統計情報との比較結果表示例である。
【図１２】時系列の変化グラフと正常データベースの統計情報との比較結果表示例である。
【図１３】計測値と正常データベースの統計情報との比較結果表示例である。
【図１４】人種が未入力の場合の、ＳＬＯ画像と正常データベースの統計情報との比較結果表示例である。
【図１５】生年月日が未入力の場合の、ＳＬＯ画像と正常データベースの統計情報との比較結果表示例である。
【図１６】通常の患者情報の表示例である。
【図１７】デフォルト人種と比較した時の患者情報の表示例である。
【図１８】患者の年齢が統計情報の年齢層の範囲外の場合のＳＬＯ画像と正常データベースの統計情報との比較結果表示例である。
【図１９】患者の年齢が統計情報の年齢層の範囲外の場合の層厚グラフと正常データベースの統計情報との比較結果表示例である。
【図２０】患者の年齢が統計情報の年齢層の範囲外の場合の時系列の変化グラフと正常データベースの統計情報との比較結果表示例である。
【図２１】複数の比較対象人種を選択して表示する例である。
【発明を実施するための形態】
【００１３】
本発明を図示の実施例に基づいて詳細に説明する。
【００１４】
（本体構成）
図１は、本実施形態における光干渉断層撮影装置（眼科装置）の側面図である。
【００１５】
１００は、前眼部像、被検眼のＳＬＯ眼底像、断層画像を取得するための測定光学系である。１０１は、測定光学系１００をＸＹＺ方向に不図示のモータを用いて移動可能としたステージ部である。１０２は、後述の分光器を内蔵するベース部である。
【００１６】
１０３は、ステージ部の制御、アライメント動作の制御、断層画像の構成などを行うパソコンである。１０４は、断層撮像用のプログラム、患者情報、撮影データ、正常データベースの統計情報などを記憶する記憶部である。すなわち、１０４は統計情報記憶手段の一例に相当する。
【００１７】
１０５は、パソコンへの指示を行う入力部であり、具体的にはキーボードとマウスから構成される。１０６は、モニタなどの表示部である。
【００１８】
（測定光学系および分光器の構成）
本実施形態の測定光学系、及び、分光器の構成について図２を用いて説明する。
【００１９】
まず、測定光学系１００の内部について説明する。被検眼２００に対向して対物レンズ２０１が設置され、その光軸上に第１ダイクロックミラー２０２および第２ダイクロイックミラー２０３が配置されている。これらのダイクロイックミラーによってＯＣＴ光学系の光路２５０、被検眼の観察とＳＬＯ眼底像の取得とを兼ねるＳＬＯ光学系と固視灯用の光路２５１、及び、前眼観察用の光路２５２とに波長帯域ごとに分岐される。
【００２０】
ＳＬＯ光学系と固視灯用の光路２５１は、ＳＬＯ走査手段２０４、レンズ２０５、２０６、ミラー２０７、第３ダイクロイックミラー２０８、フォトダイオード２０９、ＳＬＯ光源２１０、固視灯２１１を有している。
【００２１】
ミラー２０７は、穴あきミラーや中空のミラーが蒸着されたプリズムであり、ＳＬＯ光源２１０による照明光と、被検眼からの戻り光とを分離する。第３ダイクロイックミラー２０８はＳＬＯ光源２１０および固視灯２１１への光路へと波長帯域ごとに分離する。
【００２２】
ＳＬＯ走査手段２０４は、ＳＬＯ光源２１０と固視灯２１１から発せられた光を被検眼２００上で走査するものであり、Ｘ方向に走査するＸスキャナ、Ｙ方向に走査するＹスキャナから構成されている。本実施形態では、Ｘスキャナは高速走査を行う必要があるためポリゴンミラーによって、Ｙスキャナはガルバノミラーによって構成されている。
【００２３】
レンズ２０５はＳＬＯ光学系および固視灯の焦点合わせのため、不図示のモータによって駆動される。ＳＬＯ光源２１０は７８０ｎｍ付近の波長の光を発生する。フォトダイオード２０９は、被検眼からの戻り光を検出する。固視灯２１１は可視光を発生して被検者の固視を促すものである。
【００２４】
ＳＬＯ光源２１０から発せられた光は、第３ダイクロイックミラー２０８で反射され、ミラー２０７を通過し、レンズ２０６、２０５を通り、ＳＬＯ走査手段２０４によって、被検眼２００上で走査される。被検眼２００からの戻り光は、投影光と同じ経路を戻った後、ミラー２０７によって反射され、フォトダイオード２０９へと導かれ、ＳＬＯ眼底像が得られる。
【００２５】
固視灯２１１から発せられた光は、第３ダイクロイックミラー２０８、ミラー２０７を透過し、レンズ２０６、２０５を通り、ＳＬＯ走査手段２０４によって、被検眼２００上で走査される。この時、ＳＬＯ走査手段の動きに合わせて固視灯２１１を点滅させることによって、被検眼２００上の任意の位置に任意の形状をつくり、被検者の固視を促す。
【００２６】
前眼観察用の光路２５２には、レンズ２１２、２１３、スプリットプリズム２１４、赤外光を検知する前眼部観察用のＣＣＤ２１５が配置されている。このＣＣＤ２１５は、不図示の前眼観察用照射光の波長、具体的には９７０ｎｍ付近に感度を持つものである。スプリットプリズム２１４は、被検眼２００の瞳孔と共役な位置に配置されており、被検眼２００に対する測定光学系１００のＺ方向（前後方向）の距離を、前眼部のスプリット像として検出することができる。
【００２７】
ＯＣＴ光学系の光路２５０は、前述の通りＯＣＴ光学系を成しており、被検眼２００の断層画像を撮像するためのものである。より具体的には、断層画像を形成するための干渉信号を得るものである。２１６は光を被検眼上で走査するためのＸＹスキャナである。ＸＹスキャナ２１６は１枚のミラーとして図示してあるが、ＸＹ２軸方向の走査を行うガルバノミラーである。
【００２８】
２１７、２１８はレンズであり、そのうちレンズ２１７は、光カプラー２１９に接続されているファイバー２２４から出射するＯＣＴ光源２２０からの光を、被検眼２００に焦点合わせするために不図示のモータによって駆動される。この焦点合わせによって、被検眼２００からの戻り光は同時にファイバー２２４の先端に、スポット状に結像されて入射されることとなる。
【００２９】
次に、ＯＣＴ光源２２０からの光路と参照光学系、分光器の構成について説明する。２２０はＯＣＴ光源、２２１は参照ミラー、２２２は分散補償用ガラス、２２３はレンズ、２１９は光カプラー、２２４から２２７は光カプラーに接続されて一体化しているシングルモードの光ファイバー、２３０は分光器である。
【００３０】
これらの構成によってマイケルソン干渉系を構成している。ＯＣＴ光源２２０から出射された光は、光ファイバー２２５を通じ、光カプラー２１９を介して光ファイバー２２４側の測定光と、光ファイバー２２６側の参照光とに分割される。測定光は前述のＯＣＴ光学系光路を通じ、観察対象である被検眼２００に照射され、被検眼による反射や散乱により同じ光路を通じて光カプラー２１９に到達する。
【００３１】
一方、参照光は光ファイバー２２６、レンズ２２３、測定光と参照光の分散を合わせるために挿入された分散補償ガラス２２２を介して参照ミラー２２１に到達し反射される。そして同じ光路を戻り光カプラー２１９に到達する。
【００３２】
光カプラー２１９によって、測定光と参照光は合波され干渉光となる。ここで、測定光の光路長と参照光の光路長がほぼ同一となったときに干渉を生じる。参照ミラー２２１は、不図示のモータおよび駆動機構によって光軸方向に調整可能に保持され、被検眼２００によって変わる測定光の光路長に参照光の光路長を合わせることが可能である。干渉光は光ファイバー２２７を介して分光器２３０に導かれる。
【００３３】
また、２２８は、光ファイバー２２４中に設けられた測定光側の偏光調整部である。２２９は、光ファイバー２２６中に設けられた参照光側の偏光調整部である。これらの偏光調整部は光ファイバーをループ状にひきまわした部分を幾つか持っている。このループ状の部分をファイバーの長手方向を中心として回動させることでファイバーに捩じりを加え、測定光と参照光の偏光状態を各々調整して合わせることが可能なものである。
【００３４】
分光器２３０はレンズ２３２、２３４、回折格子２３３、ラインセンサ２３１から構成される。光ファイバー２２７から出射された干渉光はレンズ２３４を介して平行光となった後、回折格子２３３で分光され、レンズ２３２によってラインセンサ２３１に結像される。
【００３５】
次に、ＯＣＴ光源２２０の周辺について説明する。ＯＣＴ光源２２０は、代表的な低コヒーレント光源であるＳＬＤ（Ｓｕｐｅｒ  Ｌｕｍｉｎｅｓｃｅｎｔ  Ｄｉｏｄｅ）である。中心波長は８５５ｎｍ、波長バンド幅は約１００ｎｍである。ここで、バンド幅は、得られる断層画像の光軸方向の分解能に影響するため、重要なパラメータである。
【００３６】
光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等を用いることができる。中心波長は眼を測定することを鑑みると近赤外光が適する。また、中心波長は得られる断層画像の横方向の分解能に影響するため、なるべく短波長であることが望ましい。双方の理由から中心波長８５５ｎｍとした。
【００３７】
本実施形態では干渉系としてマイケルソン干渉系を用いたが、マッハツェンダー干渉系を用いても良い。測定光と参照光との光量差に応じて、光量差が大きい場合にはマッハツェンダー干渉系を、光量差が比較的小さい場合にはマイケルソン干渉系を用いることが望ましい。
【００３８】
以上のような構成により、被検眼の断層画像を取得することができ、かつ、近赤外光であってもコントラストの高い被検眼のＳＬＯ眼底像を取得することができる。
【００３９】
（断層画像の撮像方法）
光干渉断層撮影装置を用いた断層画像の撮像方法について説明する。
【００４０】
光干渉断層撮影装置はＸＹスキャナ２１６を制御することで、被検眼２００の所定部位の断層画像を撮像することができる。ここで、断層像取得光を被検眼中で走査する軌跡のことをスキャンパターン（走査パターン）と呼ぶ。このスキャンパターンには、例えば、一点を中心として縦横十字にスキャンするクロススキャンや、エリア全体を塗りつぶすようにスキャンし結果として３次元断層画像を得る３Ｄスキャンなどがある。特定の部位に対して詳細な観察を行いたい場合はクロススキャンが適しており、網膜全体の層構造や層厚を観察したい場合は３Ｄスキャンが適している。
【００４１】
ここでは、３Ｄスキャンを実行した場合の撮像方法を説明する。まず、図中Ｘ方向に測定光のスキャン（走査）を行い、被検眼におけるＸ方向の撮像範囲から所定の撮像本数の情報をラインセンサ２３１で撮像する。Ｘ方向のある位置で得られるラインセンサ２３１上の輝度分布を高速フーリエ変換（Ｆａｓｔ  Ｆｏｕｒｉｅｒ  Ｔｒａｎｓｆｏｒｍ：ＦＦＴ）し、ＦＦＴで得られた線状の輝度分布をモニタ１０６に示すために濃度情報に変換する。これをＡスキャン画像と呼ぶ。
【００４２】
また、この複数のＡスキャン画像を並べた２次元の画像をＢスキャン画像と呼ぶ。１つのＢスキャン画像を構成するための複数のＡスキャン画像を撮像した後、Ｙ方向のスキャン位置を移動させて再びＸ方向のスキャンを行うことにより、複数のＢスキャン画像を得る。
【００４３】
複数のＢスキャン画像、あるいは複数のＢスキャン画像から構築した３次元断層画像をモニタ１０６に表示することで、検者が被検眼の診断を行うことができる。ここでは、Ｘ方向のＢスキャン画像を複数得ることで３次元断層画像を得る例を示したが、Ｙ方向のＢスキャン画像を複数得ることで３次元断層画像を得てもよい。
【００４４】
（機能ブロック図）
図３は、本実施形態における機能ブロック図である。
【００４５】
３００は、断層画像取得手段であり、ラインセンサ２３１で撮像したデータより、断層像画像を得る。
【００４６】
３０１は、層構造解析手段であり、断層画像取得手段３００で取得した断層画像を解析し、層構造、Ｃｕｐ、Ｄｉｓｃなどを識別する。
【００４７】
３０２は、患者情報入力手段であり、図４に示すような患者情報入力画面において、入力部１０５から、患者ＩＤ、患者名、生年月日、性別、人種などの患者情報が入力可能となっている。
【００４８】
３０３は、比較対象選択手段であり、患者情報入力手段３０２で入力された人種、及び、生年月日から計算した年齢から、この患者の撮影データと比較する正常データベースの統計情報を選択する。
【００４９】
３０４は、統計情報取得手段であり、比較対象選択手段３０３で選択された統計情報を、記憶部１０４から取得する。
【００５０】
３０５は、比較結果生成手段であり、層構造解析手段３０１で解析した層構造、Ｃｕｐ、Ｄｉｓｃなどの情報と統計情報取得手段３０４から取得した正常データベースの統計情報から比較結果を生成する。
【００５１】
３０６は、比較結果表示手段であり、比較結果生成手段３０５で生成した比較結果を、ＳＬＯ眼底像、断層像などと共にモニタ１０６に表示する。
【００５２】
（フローチャート）
図５は、本実施形態におけるフローチャートである。
【００５３】
ステップＳ５０１では、断層画像取得手段３００において、ラインセンサ２３１で撮像したデータより、断層画像を得る。
【００５４】
ステップＳ５０２では、層構造解析手段３０１において、断層画像取得手段３００で取得した断層画像を解析し、層構造、Ｃｕｐ、Ｄｉｓｃなどを識別する。層構造の解析は、各層の反射率の違いにより信号強度が異なることを利用することで各層を識別することができる。
【００５５】
ステップＳ５０３では、比較対象選択手段３０３において、患者情報入力手段３０２で入力された人種、及び、生年月日から計算した年齢から、この患者の撮影データと比較する正常データベースの統計情報を選択する。
【００５６】
ステップＳ５０４では、統計情報取得手段３０４において、比較対象選択手段３０３で選択された統計情報を、記憶部１０４から取得する。
【００５７】
ステップＳ５０５では、比較結果生成手段３０５において、層構造解析手段３０１で解析した層構造、Ｃｕｐ、Ｄｉｓｃなどの情報と統計情報取得手段３０４から取得した正常データベースの統計情報から比較結果を生成する。
【００５８】
ステップＳ５０６では、比較結果表示手段３０６において、比較結果生成手段３０５で生成した比較結果を、ＳＬＯ眼底像、断層像などと共にモニタ１０６に表示する。
【００５９】
（正常データベースの統計情報）
正常データベースの統計情報は、図６に示すように、人種、年齢層ごとに、健常眼における、網膜の各層の層厚、視神経乳頭陥凹部、視神経乳頭などの大きさや比、及び、それらの分布などの統計情報を持っている。人種によって、統計情報を持つ年齢層が異なることもあり、図６の例では、白人のみ年齢層７１−８５の統計情報を持っている。
【００６０】
（比較対象選択）
本実施例の特徴である、比較対象選択に関して図７のフローチャートで説明する。
【００６１】
ステップＳ７００で、患者の人種が統計情報の人種と一致するか判定する。患者の人種が未入力の場合は、一致しないと判定する。患者の人種が統計情報の人種と一致しない場合、ステップＳ７０１に進み、統計情報の人種と一致する場合、ステップＳ７０２に進む。
【００６２】
ステップＳ７０１では、統計情報を選択しないで処理を終了する。
【００６３】
ステップＳ７０２では、患者の生年月日の入力があるかを判定する。患者の生年月日が未入力の場合、年齢が不明のためステップＳ７０１へ進む。患者の生年月日が入力されている場合、ステップＳ７０３へ進む。
【００６４】
ステップＳ７０３では、患者の年齢がステップＳ７００で一致した人種の統計情報の年齢層の範囲内であるか判定する。範囲内の場合は、ステップＳ７０４へ進み、範囲外の場合は、ステップＳ７０５に進む。
【００６５】
ステップＳ７０４では、患者の人種、年齢に対応する、正常データベースの人種、年齢層の統計情報を選択する。例えば、図６の正常データベースにおいて、患者の人種がアジアで、年齢が３５歳の場合、統計情報Ｄ−２を選択する。
【００６６】
ステップＳ７０５では、患者の人種、年齢に対応する、正常データベースの人種、年齢層の統計情報がないため、対応する人種において、一番近い年齢層の統計情報を選択する。例えば、患者の人種がアジアで、年齢が７５歳の場合、統計情報Ｄ−５を選択する。患者の人種がアジアで、年齢が１５歳の場合、統計情報Ｄ−１を選択する。
【００６７】
（比較対象選択の派生形１）
図８に示すような入力設定画面において、デフォルト人種をあらかじめ設定しておく。このように入力設定画面を介してデフォルト人種設定が行われる。この場合、ステップＳ７００において、患者の人種が未入力の時に、このデフォルト人種が統計情報の人種と一致するか判定しても良い。患者の人種がほとんど同じで、異なる人種の患者が稀な場合、デフォルト人種を設定しておくことで、ほとんどの患者に対して人種入力を省略することができる。
【００６８】
（比較対象選択の派生形２）
図４では、統計情報の人種一覧から人種を選択する形式の患者入力画面を示したが、統計情報の人種とは異なる形式で入力する場合もある。例えば、同じアジアの人種でも、日本人、韓国人、中国人と入力する場合がある。また、日本人と白人のハーフ、日本人と黒人のハーフなどと入力する場合もある。この場合、図９に示すように、入力された人種情報に応じて、比較対象とする統計情報の人種をあらかじめ設定しておく。比較対象とする統計情報の人種は複数設定しても良い。例えば、日本人と白人のハーフであれば、アジアと白人を比較対象と設定する。また、比較対象選択の派生形１では、人種が未入力の時のデフォルト人種を設定したが、図９のテーブルの最下行のように、人種が未入力の場合の比較対象として、複数の人種を設定することもできる。人種が未入力の場合、すべての人種を比較対象としても良い。図９のテーブルに登録されていない形式で人種が入力された場合、比較対象の人種なしとしても良いし、全ての人種を比較対象としても良い。
【００６９】
複数の統計情報の人種を比較対象と選択した場合、ステップＳ７０３では、複数の統計情報の人種に対して、統計情報の年齢層の範囲内であるかの判定を行う。例えば、図６の正常データベースの統計情報において、患者の年齢が７５歳で、白人とアジアの２つの人種が比較対象と選択された場合、白人の人種に対しては、統計情報Ｂ−６を選択し、アジアの人種に対しては、一番近い年齢層の統計情報Ｄ−５を選択する。
【００７０】
（比較対象選択の派生形３）
患者の父母、祖父母の人種情報がある場合、父母、祖父母の人種に対応する統計情報の人種を比較対象としても良い。
【００７１】
（比較対象選択の派生形４）
患者の年齢が、統計情報の年齢層の範囲外の場合、正常データベースの各年齢層の統計情報をグラフ化し、曲線近似により、患者の年齢の統計情報を推定し、その統計情報と比較しても良い。
【００７２】
（比較対象選択の派生形５）
患者の年齢が、統計情報の年齢層の範囲外の場合、図７のステップＳ７０５において、対応する人種からではなく、その他の統計情報の人種から一番近い年齢層の統計情報を選択しても良い。例えば、図６の正常データベースにおいて、患者の人種がアジアで、年齢が９０歳の場合、アジアの人種の統計情報Ｄ−５の年齢層６１−７０よりも、白人の人種の統計情報Ｂ−６の年齢層７１−８５の方が、年齢が近いため、統計情報Ｂ−６を選択しても良い。
【００７３】
（比較結果生成、及び、比較結果表示）
ＳＬＯ眼底像、層厚グラフ、時系列の変化グラフ、Ｃｕｐ、Ｄｉｓｃなどの計測値表示などにおいて、比較対象選択で選択された統計情報と比較した結果を作成し、表示を行う。
【００７４】
図１０、１１、１２に黄斑疾患解析のための、ＳＬＯ眼底像との比較結果表示例、層厚グラフとの比較結果表示例、時系列の変化グラフとの比較結果表示例を示す。黄斑疾患解析においては、正常データベースの統計情報との比較結果を、９９−１００％は正常値の上限の外側の範囲、９５−９９％は上側の境界線の範囲、５−９５％は正常値の範囲、１−５％は下側の境界線の範囲、０−１％は正常値の下限の外側の範囲の５種類に分類し、この分類の指標と共に、ＳＬＯ画像に重畳して色分け表示する。重畳した各色の透過度を変更することができる。
【００７５】
図示しないが、緑内障解析のためには、５−１００％は正常値及び正常値の上限の外側の範囲、１−５％を下限の境界線の範囲、０−１％を正常値の下限の外側の範囲として色分け表示する。
【００７６】
図１３に、Ｃｕｐ、Ｄｉｓｃなどの計測値との比較結果表示例を示す。Ｃｕｐ、Ｄｉｓｃでは、９９−１００％は正常値の上限の外側の範囲、９５―９９％は上限の境界線の範囲、５−９５％は正常値の範囲、０−５％は正常値の下限の外側の範囲として、計測値の表示セルの背景を色分けする。この例では、左眼のＣ／Ｄ  Ｈｏｒｉｚｏｎｔａｌの値を９５―９９％の上限の境界線の範囲、その他はすべて５−９５％の正常値の範囲として、色分けしている。
【００７７】
比較対象選択において、人種が未入力と判定され、統計情報の選択がなかった場合、比較結果を表示することができないため、例えば図１４に示すように、ＳＬＯ眼底像に重畳して、人種が未入力であることを表示する。この例では、Ｎｏ  Ｅｔｈｎｉｃ  Ｇｒｏｕｐという文字列を重畳している。
【００７８】
比較対象選択において、生年月日が未入力と判定され、統計情報の選択がなかった場合、比較結果を表示することができないため、例えば図１５に示すように、ＳＬＯ眼底像に重畳して、生年月日が未入力で年齢が不明であることを表示する。この例では、Ｎｏ  Ａｇｅという文字列を重畳している。
【００７９】
比較対象選択において、人種が未入力で、デフォルト人種と比較して一致した場合、デフォルト人種と比較したことを表示する。例えば、通常の人種入力時に、図１６に示すように人種を表示している場合、図１７に示すように、括弧を付加して表示する。また、文字の表示色や文字の背景色を変更しても良い。
【００８０】
比較対象選択において、統計情報の年齢層の範囲外と判定され、一番近い年齢層の統計情報が選択された場合、図１８、１９、２０に示すように、一番近い年齢層の統計情報と比較したことを表示する。これらの例では、図６の正常データベースにおいて、患者の人種がアジアで、年齢が７５歳の場合、一番近い６１−７０の年齢層よりも年齢が高いため、Ｏｖｅｒ  ７０と表示している。図示しないが、図６の正常データベースにおいて、患者の人種がアジアで、年齢が１５歳の場合、一番近い１８−３０の年齢層よりも年齢が低いため、Ｕｎｄｅｒ  １８と表示する。
【００８１】
患者の年齢が、対応する人種の統計情報の年齢層の範囲外の場合、一番近い年齢層との年齢差が小さいほど比較結果の信頼度は高くなり、年齢差が大きいほど比較結果の信頼度は低くなる。そのため、一番近い年齢層との年齢差に応じて、一番近い年齢層の統計情報と比較したことを示す表示色を変更しても良い。例えば、年齢差が１０未満の場合は青色、年齢差が１０―２０の場合は黄色、年齢差が３０以上の場合は赤色で表示する。
【００８２】
比較対象選択において、患者の年齢が、対応する人種の統計情報の年齢層の範囲外の時に、対応する人種からではなく、その他の統計情報の人種から一番近い年齢層の統計情報を選択した場合、図示しないが、そのことを示す表示を行う。例えば、図６の正常データベースにおいて、患者の人種がアジアで、年齢が９０歳の場合、アジアの人種の統計情報Ｄ−５の年齢層６１−７０ではなく、より年齢層の近い白人の人種の統計情報Ｂ−６を選択した場合、Ｗｈｉｔｅ：Ｏｖｅｒ  ８５などの表示を行う。
【００８３】
比較対象選択において、複数の統計情報の人種を比較対象と選択した場合、選択された統計情報の人種ごとに比較結果を作成する。図２１に示すように、比較対象の人種を選択することで、表示する比較対象の人種を変更する。複数の統計情報の人種として、患者の人種と父母の人種が選択された場合、患者の人種を優先して初期表示しても良い。また、複数の統計情報の人種が選択された場合、比較結果において正常値の範囲以外の比率が高い人種を優先して初期表示しても良い。比較対象の人種を変更した場合、ＳＬＯ眼底像、層厚グラフ、時系列の変化グラフなどの表示も連動して変更しても良い。
【００８４】
上記のように、正常データベースの統計情報において、対応する人種の年齢層の範囲外の患者のデータであっても、正常データベースの統計情報と比較することができるため、診断効率の向上につながる。また、正常データベースの統計情報の人種とは異なる人種入力を行っても、正常データベースの統計情報と比較することができるため、診断効率の向上につながる。
【００８５】
（その他の実施例）
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理についても本発明の一形態を構成する。
【符号の説明】
【００８６】
１００  測定光学系
１０１  ステージ部
１０２  ベース部
１０３  パソコン
１０４  記憶部
１０５  入力部
１０６  表示部
２００  被検眼
２０９  フォトダイオード
２１０  ＳＬＯ光源
２２０  ＯＣＴ光源
２３１  ラインセンサ
３００  断層画像取得手段
３０１  層構造解析手段
３０２  患者情報入力手段
３０３  比較対象選択手段
３０４  統計情報取得手段
３０５  比較結果生成手段
３０６  比較結果表示手段
【図１】
2015080678.tif 000003
【図２】
2015080678.tif 000004
【図３】
2015080678.tif 000005
【図４】
2015080678.tif 000006
【図５】
2015080678.tif 000007
【図６】
2015080678.tif 000008
【図７】
2015080678.tif 000009
【図８】
2015080678.tif 000010
【図９】
2015080678.tif 000011
【図１０】
2015080678.tif 000012
【図１１】
2015080678.tif 000013
【図１２】
2015080678.tif 000014
【図１３】
2015080678.tif 000015
【図１４】
2015080678.tif 000016
【図１５】
2015080678.tif 000017
【図１６】
2015080678.tif 000018
【図１７】
2015080678.tif 000019
【図１８】
2015080678.tif 000020
【図１９】
2015080678.tif 000021
【図２０】
2015080678.tif 000022
【図２１】
2015080678.tif 000023